(57)【要約】【課題】異常状態を検出することが可能な電池パックを提供する。【解決手段】電池パック１は、組電池２と、処理部４と、判定部５と、を備える。組電池２は、複数の二次電池２１を含む。処理部４は、複数の二次電池２１それぞれの電圧を検出し複数の二次電池２１のうち少なくとも１つの二次電池２１の検出電圧が第１閾値よりも低いときに第１信号を出力する。処理部４は、複数の二次電池２１のうち少なくとも１つの二次電池２１の検出電圧が第１閾値よりも大きな第２閾値よりも高いときに第２信号を出力する。判定部５は、処理部４から第１信号と第２信号との両方を取得したときに異常状態と判定する。【選択図】図１
2019079632.tif 000002
【特許請求の範囲】
【請求項１】
複数の二次電池を含む組電池と、
前記複数の二次電池それぞれの電圧を検出し前記複数の二次電池のうち少なくとも１つの二次電池の検出電圧が第１閾値よりも低いときに第１信号を出力し、前記複数の二次電池のうち少なくとも１つの二次電池の検出電圧が第１閾値よりも大きな第２閾値よりも高いときに第２信号を出力する処理部と、
前記処理部から前記第１信号と前記第２信号との両方を取得したときに異常状態と判定する判定部と、を備える、
電池パック。
【請求項２】
前記判定部において異常状態と判定されたときに異常を示す第３信号を出力するための出力端子を更に備える、
請求項１に記載の電池パック。
【請求項３】
電池パック情報を出力するための複数の信号端子を備え、
前記出力端子は、前記複数の信号端子のうちの少なくとも１つの信号端子と兼用されている、
請求項２記載の電池パック。
【請求項４】
前記電池パック情報は、温度情報を含む、
請求項３に記載の電池パック。
【請求項５】
前記電池パック情報は、定格電圧情報を含む、
請求項３又は４に記載の電池パック。
【請求項６】
前記判定部において異常状態と判定されたときに報知する報知部を更に備える、
請求項１乃至５のいずれか一項に記載の電池パック。
【発明の詳細な説明】
【技術分野】
【０００１】
本発明は、一般に電池パックに関し、より詳細には、組電池を備える電池パックに関する。
【背景技術】
【０００２】
従来、電池パックとして、充電器並びに電動工具にそれぞれ着脱自在に装着される電動工具用の電池パックが知られている（特許文献１）。特許文献１に記載された電動工具用の電池パックは、組電池と、一対の電源端子と、第１の制御回路と、第２の制御回路と、複数の信号端子と、第２の電源端子と、保護素子と、第３の制御回路と、を備えている。
【０００３】
組電池は、複数の二次電池を直列に接続して構成されている。一対の電源端子は、組電池の正極並びに負極とそれぞれ接続されている。第１の制御回路は、二次電池の両端電圧を個別に検出し該検出電圧が第１の所定値（例えば、４．２Ｖ）よりも高いときに充電器に対して充電制御信号を出力する。第２の制御回路は、二次電池の両端電圧を個別に検出し該検出電圧が第１の所定値よりも低い第２の所定値（例えば、２．０Ｖ）を下回ったときに放電停止信号を出力する。複数の信号端子は、充電制御信号並びに放電停止信号を個別に出力する２つの信号端子を含んでいる。第２の電源端子は、組電池の正極又は負極に接続されるとともに充電器から供給される充電電流が流れる。保護素子は、第２の電源端子を通して組電池に供給される充電電流の経路を開閉する。第３の制御回路は、二次電池の両端電圧を個別に検出し該検出電圧が第１の所定値よりも高い第３の所定値（例えば、４．５Ｖ）を上回ったときに保護素子を動作させて充電電流経路を開成する。
【先行技術文献】
【特許文献】
【０００４】
【特許文献１】特開２００７−１４３２８４号公報
【発明の概要】
【発明が解決しようとする課題】
【０００５】
電池パックでは、電動工具に放電できずかつ充電器による充電ができない異常状態となることがあった。
【０００６】
本発明の目的は、異常状態を検出することが可能な電池パックを提供することにある。
【課題を解決するための手段】
【０００７】
本発明に係る一態様の電池パックは、組電池と、処理部と、判定部と、を備える。前記組電池は、複数の二次電池を含む。前記処理部は、前記複数の二次電池それぞれの電圧を検出し前記複数の二次電池のうち少なくとも１つの二次電池の検出電圧が第１閾値よりも低いときに第１信号を出力する。前記処理部は、前記複数の二次電池のうち少なくとも１つの二次電池の検出電圧が第１閾値よりも大きな第２閾値よりも高いときに第２信号を出力する。前記判定部は、前記処理部から前記第１信号と前記第２信号との両方を取得したときに異常状態と判定する。
【発明の効果】
【０００８】
本発明の電池パックは、異常状態を検出することが可能となる。
【図面の簡単な説明】
【０００９】
【図１】図１は、本発明の実施形態１に係る電池パックのブロック図である。
【図２】図２は、同上の電池パックの斜視図である。
【図３】図３は、本発明の実施形態２に係る電池パックのブロック図である。
【発明を実施するための形態】
【００１０】
（実施形態１）
（１）電池パックの全体構成
以下、本実施形態に係る電池パック１について、図１及び２を参照して説明する。
【００１１】
本実施形態の電池パック１は、この電池パック１を着脱可能な機器（例えば、電動工具、照明器具等）の電源として用いることができる。また、電池パック１は、この電池パック１を着脱可能な充電器によって充電される。
【００１２】
電池パック１は、組電池２と、組電池２を収容しているハウジング９（図２参照）と、を備える。
【００１３】
組電池２は、複数（５つ）の二次電池２１を含む。組電池２では、複数の二次電池２１が直列接続されている。複数の二次電池２１の各々が、組電池２の単電池を構成している。
【００１４】
ハウジング９は、図２に示すように、ボディ９０と、ボディ９０に結合されたカバー９１と、を含む。ボディ９０は、カバー９１側が開放された箱状である。ボディ９０は、組電池２を収容している。カバー９１は、ボディ９０側が開放された箱状である。カバー９１は、ボディ９０側とは反対側の一面９１１から突出している突台部９２を含む。突台部９２は、偏平な直方体状である。ボディ９０は、合成樹脂成形品である。ボディ９０の材料は、例えば、ＡＢＳ樹脂である。ボディ９０は、電気絶縁性を有する。カバー９１は、合成樹脂成形品である。カバー９１の材料は、例えば、ＡＢＳ樹脂である。カバー９１は、電気絶縁性を有する。
【００１５】
突台部９２は、長手方向の第１端９２１及び第２端９２２を有する。電池パック１は、突台部９２の第１端９２１に、３つの挿入溝９３１、９３３、９３２が形成されている。３つの挿入溝９３１、９３２、９３３には、正極端子３１、負極端子３２、正極端子３３がそれぞれ収納されている。正極端子３１及び正極端子３３は、組電池２の正極に接続されている。負極端子３２は、組電池２の負極に接続されている。電池パック１では、上記の機器への放電には、正極端子３１及び負極端子３２が利用される。電池パック１では、充電器からの充電には、正極端子３３及び負極端子３２が利用される。正極端子３１、負極端子３２及び正極端子３３は、雄型の接続端子が差し込み接続される雌型の接続端子である。電池パック１は、機器及び充電器への取付部として、突台部９２の短手方向の一対の側面９２３の各々に設けられたＬ字状の３つのフック９４１、９４２、９４３を備えている。
【００１６】
また、電池パック１は、通信用コネクタ７を備えている。通信用コネクタ７は、上記の機器及び充電器と通信するためのインタフェースとして利用されるコネクタである。通信用コネクタ７は、複数の信号端子７０（図１参照）を含む。ここにおいて、通信用コネクタ７は、電池パック情報を上記の機器及び充電器と通信するときに利用される。通信用コネクタ７は、電池パック情報を出力するための複数の信号端子７０を含んでいる。電池パック情報は、例えば温度情報、定格電圧情報等を含む。温度情報は、電池パック１の温度であり、より詳細にはハウジング９内の組電池２の温度である。定格電圧情報は、電池パック１の定格電圧に関する情報であり、本実施形態では、組電池２の定格電圧に関する情報である。
【００１７】
電池パック１は、図１に示すように、組電池２、正極端子３１、負極端子３２、正極端子３３及び通信用コネクタ７の他に、処理部４と、判定部５と、情報出力部６と、報知部８と、を備える。
【００１８】
（２）電池パックの各構成要素
電池パック１の組電池２における各二次電池２１は、例えば、リチウムイオン電池である。リチウムイオン電池の定格電圧は、３．６Ｖである。電池パック１の定格電圧が１８．０Ｖであり、組電池２では、５つの二次電池２１が直列接続されている。組電池２は、ハウジング９に収容されている。
【００１９】
正極端子３１及び正極端子３３と組電池２の正極とはハウジング９内において電気的に接続されている。負極端子３２と組電池２の負極とはハウジング９内において電気的に接続されている。
【００２０】
処理部４は、複数の二次電池２１それぞれの電圧を検出し複数の二次電池２１のうち少なくとも１つの二次電池２１の検出電圧が第１閾値よりも低いときに第１信号を出力する。処理部４は、複数の二次電池２１のうち少なくとも１つの二次電池２１の検出電圧が第１閾値よりも大きな第２閾値よりも高いときに第２信号を出力する。第１閾値は、二次電池２１の定格電圧よりも低い電圧値であり、例えば２Ｖである。第２閾値は、二次電池２１の定格電圧よりも高い電圧値であり、例えば４Ｖである。
【００２１】
処理部４は、電池監視部４１と、放電制御部４２と、充電制御部４３と、を含む。
【００２２】
電池監視部４１は、複数の二次電池２１それぞれの電圧を検出する。電池監視部４１は、複数の二次電池２１のうち少なくとも１つの二次電池２１の検出電圧が第１閾値よりも低いときに、放電制御部４２へ放電不可信号（例えば、Ｌレベルの電圧信号）を出力する。電池監視部４１は、複数の二次電池２１のうち少なくとも１つの二次電池２１の検出電圧が第２閾値よりも高いときに、充電制御部４３へ充電不可信号（例えば、Ｈレベルの電圧信号）を出力する。電池監視部４１は、複数の二次電池２１それぞれの検出電圧が第１閾値以上かつ第２閾値以下のときには、放電許可信号（例えば、Ｈレベルの電圧信号）及び充電許可信号（例えば、Ｌレベルの電圧信号）を出力する。電池監視部４１は、ＩＣ素子（ＩＣ：Integrated Circuit）を含んでいる。電池監視部４１は、組電池２を電源として動作する。電池監視部４１は、組電池２から約１８Ｖの電圧が供給される。電池監視部４１は、回路基板に実装されている。回路基板は、一例として、プリント配線板により構成されている。
【００２３】
放電制御部４２は、電池監視部４１から出力される放電許可信号及び放電不可信号を取得できるように電池監視部４１と接続されている。また、放電制御部４２は、複数の信号端子７０のうちの１つの信号端子７１に接続されている。放電制御部４２は、電池監視部４１から出力されて入力する信号（放電許可信号及び放電不可信号）を電圧変換しかつ論理反転して出力する。放電制御部４２は、電池監視部４１から放電不可信号が出力されると、第１信号（例えば、Ｈレベルの電圧信号）を出力する。放電制御部４２は、例えば、信号変換回路を含む。信号変換回路は、例えば、ｎｐｎ型のトランジスタと抵抗とツェナダイオードとを有する。信号変換回路は、電池パック１内の電源回路の高電位側の出力端にｎｐｎ型のトランジスタのコレクタが抵抗を介して接続され、ｎｐｎ型のトランジスタのエミッタがグラウンドに接続されている。また、放電制御部４２では、ｎｐｎ型のトランジスタのベースに、電池監視部４１が接続されている。放電制御部４２の出力端（トランジスタと抵抗との接続点）は、信号端子７１に接続されている。また、ツェナダイオードのカソードはｎｐｎ型のトランジスタのコレクタに接続され、ツェナダイオードのアノードはｎｐｎ型のトランジスタのエミッタに接続されている。信号端子７１から出力される第１信号を取得した機器は、電池パック１が電圧不足であると判断する。機器は、当該機器の負荷への放電中に第１信号を取得した場合には、放電を停止させる。放電制御部４２は、上記の回路基板に実装されている。
【００２４】
充電制御部４３は、電池監視部４１から出力される充電許可信号及び充電不可信号を取得できるように電池監視部４１と接続されている。また、充電制御部４３は、複数の信号端子７０のうちの１つの信号端子７２に接続されている。充電制御部４３は、電池監視部４１から出力されて入力する信号（充電許可信号及び充電不可信号）を電圧変換しかつ論理反転して出力する。充電制御部４３は、電池監視部４１から充電不可信号が出力されると、第２信号（Ｌレベルの電圧信号）を出力する。充電制御部４３は、例えば、信号変換回路を含む。信号変換回路は、ｎｐｎ型トランジスタと抵抗とツェナダイオードとを有する。信号変換回路は、電池パック１内の電源回路の高電位側の出力端にｎｐｎ型のトランジスタのコレクタが抵抗を介して接続され、ｎｐｎ型のトランジスタのエミッタがグラウンドに接続されている。また、充電制御部４３では、ｎｐｎ型のトランジスタのベースに、電池監視部４１が接続されている。充電制御部４３の出力端（トランジスタと抵抗との接続点）は、信号端子７２に接続されている。また、ツェナダイオードのカソードはｎｐｎ型のトランジスタのコレクタに接続され、ツェナダイオードのアノードはｎｐｎ型のトランジスタのエミッタに接続されている。信号端子７２から出力される第２信号を取得した充電器は、電池パック１が満充電状態であると判断する。充電器は、電池パック１の充電中に第２信号を取得した場合には、電池パック１の充電を停止させる。充電制御部４３は、上記の回路基板に実装されている。
【００２５】
情報出力部６は、通信用コネクタ７と接続されている。情報出力部６は、通信用コネクタ７を介して電池パック情報を出力する。情報出力部６は、温度センサ部６１と、識別情報出力部６２と、を含む。また、情報出力部６は、複数（２つ）のスイッチ素子１０を含む。
【００２６】
温度センサ部６１は、電池パック情報として電池パック１の温度情報を出力する。温度センサ部６１は、ハウジング９内に収容されている。温度センサ部６１は、電池パック１の温度（ハウジング９内の組電池２の温度）を検出する。温度センサ部６１は、サーミスタを含む。サーミスタは、例えば、ＮＴＣサーミスタ（Negative Temperature Coefficient Thermistor）である。温度センサ部６１は、複数の信号端子７０のうち１つの信号端子７３に接続されている。電池パック１では、信号端子７３から出力される温度センサ部６１の出力信号（電池パック１の温度情報）は、組電池２の温度に応じて変化する。温度センサ部６１は、上記の回路基板に実装されている。
【００２７】
電池パック１が装着された機器及び充電器では、例えば、サーミスタの抵抗値を検出することにより、電池パック１の温度情報を取得することができる。
【００２８】
識別情報出力部６２は、電池パック情報として電池パック１の定格電圧情報（本実施形態では、組電池２の定格電圧を表す情報）を出力する。電池パック１の定格電圧が１８．０Ｖであれば、定格電圧情報は例えば電圧レベルが２．５Ｖの電圧信号である。識別情報出力部６２は、ハウジング９内に収容されている。識別情報出力部６２は、複数の信号端子７０のうち１つの信号端子７４に接続されている。識別情報出力部６２は、識別用抵抗を含む。識別用抵抗の抵抗値は、組電池２の定格電圧毎に互いに異なる抵抗値に予め決められている。したがって、電池パック１では、信号端子７４から出力される識別情報出力部６２の出力信号は、定格電圧の異なる電池パック１毎に異なる。識別情報出力部６２は、上記の回路基板に実装されている。電池パック１が装着された機器及び充電器では、例えば、識別用抵抗の抵抗値を検出することにより、電池パック１の定格電圧情報を取得することができる。
【００２９】
電池パック１が装着された機器では、温度情報（電圧信号の電圧レベル）が第１所定範囲内であり、定格電圧情報（電圧信号の電圧レベル）が第２所定範囲内であれば、当該機器の負荷への放電を行うことが可能となる。また、電池パック１が装着された充電器では、温度情報（電圧信号の電圧レベル）が第３所定範囲内であり、定格電圧情報（電圧信号の電圧レベル）が第４所定範囲内であれば、電池パック１への充電を行うことが可能となる。
【００３０】
各スイッチ素子１０は、例えば、ノーマリオン型のトランジスタである。２つのスイッチ素子１０のうち一方のスイッチ素子１１は、温度センサ部６１と信号端子７３との間に接続され、他方のスイッチ素子１２は、識別情報出力部６２と信号端子７４との間に接続されている。各スイッチ素子１０は、上記の回路基板に実装されている。
【００３１】
電池パック１では、処理部４の放電制御部４２及び充電制御部４３が判定部５に接続されている。
【００３２】
処理部４では、放電制御部４２は、信号端子７１と判定部５とに互いに同じ信号を出力する。また、処理部４では、充電制御部４３は、信号端子７２と判定部５とに互いに同じ信号を出力する。したがって、電池パック１では、電池監視部４１から放電不可信号が出力されると、判定部５が第１信号を取得する。また、電池パック１では、電池監視部４１から充電不可信号が出力されると、判定部５が第２信号を取得する。
【００３３】
判定部５は、処理部４から第１信号と第２信号との両方を取得したときに異常状態と判定する。電池パック１は、判定部５において異常状態と判定されたときに異常を示す第３信号を出力するための出力端子７９を備える。電池パック１では、複数の信号端子７０のうち信号端子７３、７４が、出力端子７９を兼ねている。判定部５は、第１信号と第２信号との両方を取得したときに、複数のスイッチ素子１０の各々をオン状態からオフ状態へ制御することにより、信号端子７３、７４をハイインピーダンス状態（オープン）とすることで、異常を示す第３信号を出力する。信号端子７３から出力する第３信号は、上記の第１所定範囲及び第３所定範囲のいずれにも含まれない電圧レベルの電圧信号である。信号端子７４から出力する第４信号は、上記の第２所定範囲及び第４所定範囲のいずれにも含まれない電圧レベルの電圧信号である。判定部５は、ＩＣにより構成されているが、これに限らず、論理回路等によって構成されていてもよい。判定部５は、上記の回路基板に実装されている。
【００３４】
電池パック１における報知部８は、判定部５において異常状態と判定されたときに電池パック１が異常状態であることを報知する。
【００３５】
報知部８は、ハウジング９に設けられたＬＥＤ（Light Emitting Diode）を含む。報知部８は、判定部５により制御される。判定部５は、報知部８のＬＥＤが所定時間（例えば、２０秒）の間、点滅或いは点灯するように報知部８を動作させる。
【００３６】
（実施形態２）
本実施形態に係る電池パック１ａは、図３に示すように、異常を示す第３信号を出力するための出力端子７９を、複数の信号端子７０とは別に備えている点等が相違する。本実施形態に係る電池パック１ａに関し、実施形態１に係る電池パック１と同様の構成要素については、同一の符号を付して説明を省略する。
【００３７】
本実施形態に係る電池パック１ａでは、判定部５ａにおいて異常状態と判定されたときに異常を示す第３信号が、判定部５ａから出力端子７９を介して出力される。したがって、本実施形態に係る電池パック１ａでは、情報出力部６ａに、実施形態１に係る電池パック１の情報出力部６が備えていたスイッチ素子１０を設ける必要がない。
【００３８】
（３）変形例
上記の実施形態１、２は、本発明の様々な実施形態の一つに過ぎない。上記の実施形態１、２は、本発明の目的を達成できれば、設計等に応じて種々の変更が可能である。
【００３９】
例えば、組電池２における二次電池２１の数は、複数であればよく、５つに限らない。二次電池２１の数は、例えば、４つでもよい。
【００４０】
二次電池２１は、リチウムイオン電池に限らず、例えば、ニッケル水素電池であってもよい。
【００４１】
電池監視部４１は、ＩＣ素子により構成される場合に限らず、ＩＣ素子と他の電子部品とを含んでいいてもよい。また、電池監視部４１は、マイクロコントローラ（Microcontroller）により構成されていてもよい。マイクロコントローラは、プログラムに従って動作するプロセッサと、プロセッサを動作させるプログラムを格納するためのメモリ及び作業用のメモリと、を備えた１チップのデバイスとして構成される。この場合、電池監視部４１は、マイクロコントローラにプログラムを実行させることにより、実現することができる。また、電池監視部４１は、ＩＣ素子及びマイクロコントローラを含まずに、複数のディスクリートの電子部品を含む構成であってもよい。
【００４２】
電池パック１では、情報出力部６が２つのスイッチ素子１０を備えているが、スイッチ素子１０の数は、２つに限らず、１つでもよいし、３つ以上であってもよい。
【００４３】
また、電池パック１では、情報出力部６が２つのスイッチ素子１０を備えた構成に限らず、判定部５において異常状態と判定されたときに、判定部５が、温度センサ部６１及び識別情報出力部６２の少なくとも一方から第３信号を出力させるように構成されていてもよい。
【００４４】
また、電池パック１では、複数（４つ）の信号端子７０のうち情報出力部６に接続されている全部（２つ）の信号端子７０が出力端子７９に兼用されているが、少なくとも１つの信号端子７０が出力端子７９と兼用されていればよい。
【００４５】
また、温度センサ部６１は、ＮＴＣサーミスタに限らず、例えば、ＰＴＣサーミスタ（Positive Temperature Coefficient Thermistor）であってもよい。また、温度センサ部６１は、サーミスタに限らず、例えば、抵抗ボロメータ等でもよい。
【００４６】
識別情報出力部６２は、定格電圧と定格容量との組み合わせごとに異なる識別抵抗値を有する構成であってもよい。
【００４７】
電池パック情報は、温度情報、定格電圧情報の他に、例えば、残容量情報、定格容量情報、充電回数情報等を含んでいてもよい。残容量情報は、電池パック１の残容量を表す情報である。定格容量情報は、電池パック１の定格容量を表す情報である。充電回数情報は、電池パック１の充電回数を表す情報である。
【００４８】
電池パック１、１ａでは、組電池２の数が１つであるが、組電池２の数は１つに限らず、複数であってもよい。電池パック１、１ａは、複数の組電池２を備え、これら複数の組電池が直列接続されていてもよい。この場合、複数の組電池２のうち最も高電位側となる組電池２の正極が正極端子３１、３３に接続され、最も低電位側となる組電池２の負極が負極端子３２に接続されていればよい。
【００４９】
また、電池パック１、１ａでは、情報出力部６、通信用コネクタ７及び報知部８は、必須の構成ではなく、適宜、省略可能である。
【００５０】
報知部８は、ＬＥＤの発光色、点滅パターン等によって報知を行う場合に限らず、音によって報知を行ってもよい。報知部８は、例えば、音声ＩＣとスピーカとの組み合わせ、ブザー等により報知を行う構成でもよい。
【００５１】
また、電池パック１、１ａでは、正極端子３３と組電池２の正極との間に、正極端子３３と組電池２との間の電路を遮断するための保護素子を更に備えていてもよい。保護素子は、例えば、ヒータ抵抗と、ヒューズと、を含み、ヒータ抵抗に電流が流れたときにヒューズが溶断して電路を遮断する。保護素子は、例えば、充電制御部４３によって制御すればよい。
【００５２】
（まとめ）
以上説明した実施形態等から以下の態様が開示されていることは明らかである。
【００５３】
第１の態様に係る電池パック（１；１ａ）は、組電池（２）と、処理部（４）と、判定部（５）と、を備える。組電池（２）は、複数の二次電池（２１）を含む。処理部（４）は、複数の二次電池（２１）それぞれの電圧を検出し複数の二次電池（２１）のうち少なくとも１つの二次電池（２１）の検出電圧が第１閾値よりも低いときに第１信号を出力する。処理部（４）は、複数の二次電池（２１）のうち少なくとも１つの二次電池（２１）の検出電圧が第１閾値よりも大きな第２閾値よりも高いときに第２信号を出力する。判定部（５；５ａ）は、処理部（４）から第１信号と第２信号との両方を取得したときに異常状態と判定する。
【００５４】
第１の態様に係る電池パック（１；１ａ）は、異常状態を検出することが可能となる。
【００５５】
第２の態様に係る電池パック（１；１ａ）は、第１の態様において、判定部（５）において異常状態と判定されたときに異常を示す第３信号を出力するための出力端子（７９）を更に備える。
【００５６】
第２の態様に係る電池パック（１；１ａ）では、異常状態のときに異常を示す第３信号を出力することが可能となる。
【００５７】
第３の態様に係る電池パック（１）は、第２の態様において、電池パック情報を出力するための複数の信号端子（７０）を備える。出力端子（７９）は、複数の信号端子（７０）のうちの少なくとも１つの信号端子（７３、７４）と兼用されている。
【００５８】
第３の態様に係る電池パック（１）では、第３信号を出力するための出力端子（７９）を複数の信号端子とは別に設ける必要がないという利点がある。
【００５９】
第４の態様に係る電池パック（１；１ａ）は、第３の態様において、電池パック情報は、温度情報を含む。
【００６０】
第４の態様に係る電池パック（１；１ａ）では、機器又は充電器が装着されて機器又は充電器が電池パックの温度情報を検出しようとしたときに、判定部（５）において異常状態と判定されていれば信号端子（７３）から第３信号を出力することが可能となる。
【００６１】
第５の態様に係る電池パック（１；１ａ）は、第３又は４の態様において、電池パック情報は、定格電圧情報を含む。
【００６２】
第５の態様に係る電池パック（１；１ａ）では、機器又は充電器が装着されて機器又は充電器が電池パックの定格電圧情報を検出しようとしたときに、判定部（５）において異常状態と判定されていれば信号端子（７４）から第３信号を出力することが可能となる。
【００６３】
第６の態様に係る電池パック（１；１ａ）は、第１乃至５の態様のいずれか一つにおいて、判定部（５；５ａ）において異常状態と判定されたときに報知する報知部（８）を更に備える。
【００６４】
第６の態様に係る電池パック（１；１ａ）では、電池パック（１）が異常状態であることを報知することが可能となる。
【符号の説明】
【００６５】
１、１ａ  電池パック
２  組電池
４  処理部
５、５ａ  判定部
７０  信号端子
７３  信号端子
７４  信号端子
７９  出力端子
８  報知部
【図１】
2019079632.tif 000003
【図２】
2019079632.tif 000004
【図３】
2019079632.tif 000005